(57)【特許請求の範囲】
【請求項１】
互いに中心波長が異なるレーザ光を発する複数のレーザ光源、及び前記複数のレーザ光源から第１及び第２レーザ光を含む複数のレーザ光が入射し、入射したレーザ光のうち第１レーザ光によって白色光を励起発光する蛍光体を有する光源部と、
前記蛍光体から発せられる白色光と体腔内の血管を強調表示させるための第２レーザ光とが混合して入射するライトガイドとを備えることを特徴とする内視鏡。
【請求項２】
前記第２レーザ光は、前記体腔内の表層血管を強調表示させることを特徴とする請求項１記載の内視鏡。
【請求項３】
前記第２レーザ光は、前記体腔内の表層血管を強調表示させるとともに、体腔内から蛍光を励起させることを特徴とする請求項１記載の内視鏡。
【請求項４】
前記第２レーザ光の中心波長は４０５ｎｍであることを特徴とする請求項１ないし３いずれか１項記載の内視鏡。
【請求項５】
前記蛍光体には前記第１及び第２レーザ光に加えて第３レーザ光が入射し、
前記第３レーザ光は、体腔内の腫瘍患部を光学的に死滅させるための治療光であることを特徴とする請求項１ないし４いずれか１項記載の内視鏡。
【請求項６】
前記第３レーザ光の中心波長は６３５ｎｍであることを特徴とする請求項５記載の内視鏡。
【請求項７】
蛍光体には、青色の第１レーザ光及び第２レーザ光に加えて、中心波長が第１レーザ光と異なる第４レーザ光が入射し、
前記白色光は、前記青色の第１レーザ光と、この青色の第１レーザ光により前記蛍光体で励起発光する緑色〜赤色成分の光が含まれ、
前記第４レーザ光は、前記白色光の青色成分の光量を増加させるための青色光であることを特徴とする請求項１ないし６いずれか１項記載の内視鏡。
【請求項８】
前記第４レーザ光の中心波長は４７３ｎｍであることを特徴とする請求項７記載の内視鏡。
【請求項９】
体腔内からの戻り光を受光して接眼部にまで導光するイメージガイドを備えることを特徴とする請求項１ないし８いずれか１項記載の内視鏡。
【請求項１０】
前記ライトガイドを有する内視鏡本体と、
前記内視鏡本体に着脱自在に設けられ、前記光源部と前記光源部の複数のレーザ光源に電力を供給するバッテリとを有する光源ユニットとを備えることを特徴とする請求項１ないし９いずれか１項記載の内視鏡。
【請求項１１】
前記第１レーザ光の中心波長は４４５nmであることを特徴とする請求項１ないし１０いずれか１項記載の内視鏡。
【請求項１２】
前記複数のレーザ光源はパルス状のレーザ光を周期的に発することを特徴とする請求項１ないし１１いずれか１項記載の内視鏡。
【請求項１３】
前記複数のレーザ光源はＧＨｚ単位での変調が可能であることを特徴とする請求項１ないし１２いずれか１項記載の内視鏡。
【請求項１４】
ライトガイドを介して導光された光を体腔内に向けて出射する内視鏡に接続された又は組み込まれた内視鏡用光源装置において、
互いに中心波長が異なるレーザ光を発する複数のレーザ光源、及び前記複数のレーザ光源から第１及び第２レーザ光を含む複数のレーザ光が入射し、入射したレーザ光のうち第１レーザ光によって白色光を励起発光する蛍光体を有する光源部を備え、前記蛍光体から発せられる白色光と体腔内の血管を強調表示させるための第２レーザ光とを混合して前記ライトガイドに入射させることを特徴とする内視鏡用光源装置。
【発明の詳細な説明】
【技術分野】
【０００１】
本発明は、患者の体腔内をイメージガイドを介して肉眼で観察するファイバスコープなどの内視鏡及びその内視鏡に接続される内視鏡用光源装置に関する。
【背景技術】
【０００２】
医療用の内視鏡として、患者の体腔内をイメージガイドを介して肉眼で観察するファイバスコープが知られている。ファイバスコープは、電子内視鏡のように、体腔内を撮像するＣＣＤ等の撮像装置を必要としないため、撮像により得られる信号を送る信号ケーブルやその信号を受信して内視鏡画像を生成するプロセッサ装置なども必要としない。
【０００３】
したがって、ファイバスコープを用いた内視鏡観察では、ファイバスコープの他に、ライトガイドに照明光を供給する光源装置があれば、体腔内の観察が可能となる。さらには、光源装置として、ケーブルなど必要とせず、ファイバスコープ自体にそのまま装着できるバッテリ式の携帯型の光源ユニットを用いることで、持ち運びを容易にすることができる。これにより、病院以外の自宅等での内視鏡診断も可能となる。
【０００４】
このような携帯型の光源ユニットをファイバスコープに装着して内視鏡観察を行う場合には、長時間にわたる観察に備えて、十分な光量を有する照明光を長時間照射できるようにしておく必要がある。例えば、特許文献１で示しているような、パルス状の照明光を一定の周波数以上で発する照明方法を、ファイバスコープの照明にも適用することが考えられる。この場合には、大容量のバッテリを搭載しなくとも、観察者である医者に対して明るく知覚させる照明光を、長時間照射し続けることができるようになる。
【先行技術文献】
【特許文献】
【０００５】
【特許文献１】特開２００９−１４６８９３号公報
【発明の概要】
【発明が解決しようとする課題】
【０００６】
しかしながら、特許文献１では照明光の発光に応答速度の低い発光ダイオードを使用しているため、パルス幅を小さくして更に明るく発光させることは難しかった。このため、明るく知覚させるにも限界があった。また、発光ダイオードから発せられる光は、所定の波長帯域に限定されているため、体腔内の全体的な観察には向かない場合がある。
【０００７】
このような場合には、例えば、特開２００７−３２４２３９号公報に示すように、特定波長の光を蛍光体などの波長変換部材に当てて励起される広帯域の白色光を用いて観察を行うことで、体腔内全体を把握することができるようになる。しかしながら、波長変換部材に特定波長の光を当てて白色光を生成する場合には、単にパルス発光させるだけでは、波長変換部材の変換効率の温度特性、つまり励起光の光量に対する変換効率の変化により、励起光量と変換光量の比率が変化して、白色光の色味が変わってしまうという別の問題が生じてしまう。
【０００８】
また、内視鏡による診断や治療の更なる向上を図るためには、白色光による通常光観察の他に、狭帯域光によって表層血管等を強調表示するＮＢＩ（Narrow Band Imaging）や、体腔内から発せられる蛍光を観察するＡＦＩ（Auto Fluorescence Imaging）、ＰＤＤ（Photo Dynamic Diagnosis）などの特殊光観察、腫瘍患部に治療光を当てて死滅させるＰＤＴ（Photo Dynamic Therapy）などの光学的治療も内視鏡使用中に実施できることが好ましい。
【０００９】
本発明は、ファイバスコープなどの内視鏡において、色味を変えることなく十分に明るく知覚させることができ、且つ通常光観察の他に特殊光観察や光学的治療を行うことができる内視鏡及び内視鏡用光源装置を提供することを目的とする。
【課題を解決するための手段】
【００１０】
上記目的を達成するために、本発明の内視鏡は、互いに中心波長が異なるレーザ光を発する複数のレーザ光源、及び複数のレーザ光源から第１及び第２レーザ光を含む複数のレーザ光が入射し、入射したレーザ光のうち第１レーザ光によって白色光を励起発光する蛍光体を有する光源部と、蛍光体から発せられる白色光と体腔内の血管を強調表示させるための第２レーザ光とが混合して入射するライトガイドとを備えることを特徴とする。第２レーザ光は、体腔内の表層血管を強調表示させることを特徴とする。第２レーザ光は、体腔内の表層血管を強調表示させるとともに、体腔内から蛍光を励起させることが好ましい。第２レーザ光の中心波長は４０５ｎｍであることが好ましい。
【００１１】
蛍光体には第１及び第２レーザ光に加えて第３レーザ光が入射し、第３レーザ光は、体腔内の腫瘍患部を光学的に死滅させるための治療光であることが好ましい。第３レーザ光の中心波長は６３５ｎｍであることが好ましい。蛍光体には、青色の第１レーザ光及び第２レーザ光に加えて、中心波長が第１レーザ光と異なる第４レーザ光が入射し、白色光は、青色の第１レーザ光と、この青色の第１レーザ光により蛍光体で励起発光する緑色〜赤色成分の光が含まれ、第４レーザ光は、白色光の青色成分の光量を増加させるための青色光であることが好ましい。第４レーザ光の中心波長は４７３ｎｍであることが好ましい。体腔内からの戻り光を受光して接眼部にまで導光するイメージガイドを備えることが好ましい。
【００１２】
第１レーザ光の中心波長は４４５nmであることが好ましい。複数のレーザ光源はパルス状のレーザ光を周期的に発することが好ましい。複数のレーザ光源はＧＨｚ単位での変調が可能であることが好ましい。
【００１３】
上記記載の本発明の内視鏡は、前記ライトガイドを有する内視鏡本体と、前記内視鏡本体に着脱自在に設けられ、前記光源部と前記光源部の複数のレーザ光源に電力を供給するバッテリとを有する光源ユニットとを備えることが好ましい。
【００１４】
本発明は、ライトガイドを介して導光された光を体腔内に向けて出射する内視鏡に接続された又は組み込まれた内視鏡用光源装置において、互いに中心波長が異なるレーザ光を発する複数のレーザ光源、及び複数のレーザ光源から第１及び第２レーザ光を含む複数のレーザ光が入射し、入射したレーザ光のうち第１レーザ光によって白色光を励起発光する蛍光体を有する光源部を備え、蛍光体から発せられる白色光と体腔内の血管を強調表示させるための第２レーザ光とを混合して前記ライトガイドに入射させることを特徴とする。
【発明の効果】
【００１５】
本発明によれば、半導体レーザー（Laser Diode）などのレーザ光源の発光点が発光ダイオード（Light Emitting Diode）と比べて極めて小さいことを利用し、複数のレーザ光源からのレーザ光を１つの蛍光体に集光させ、その蛍光体から発せられる白色光及びレーザ光を混合してライトガイドに入射させている。したがって、白色光とともに、狭帯域光、励起光、治療光などのレーザ光を、ライトガイドを介して、照射することができるため、通常光観察に加えて、ＮＢＩ、ＡＦＩ、ＰＤＤなどの特殊光観察やＰＤＴなどの光学的治療を行うことができるようになる。また、レーザ光源はＧＨｚ単位での変調が可能であることから、蛍光体の波長変換効率の温度特性など各種条件に合わせてレーザ光の変調を行うことで、色味を一定に保持することができる。
【図面の簡単な説明】
【００１６】
【図１】第１実施形態の気管支鏡の外観図である。
【図２】光源ユニットの概略図である。
【図３】パルス状の青色レーザ光を説明するための説明図である。
【図４】白色光の分光強度を示すグラフである。
【図５】中心波長４０５ｎｍの青色レーザ光と白色光の分光強度を示すグラフである。
【図６】中心波長４０５ｎｍの青色レーザ光、中心波長６３５ｎｍの治療光、白色光の分光強度を示すグラフである。
【図７】パルス数、パルス幅、パルス高さを説明するための説明図である。
【図８】半導体レーザ（４７３ｎｍ）を加えた光源ユニットの概略図である。
【図９】中心波長４０５ｎｍの青色レーザ光、中心波長４７３ｎｍの青色レーザ光、白色光の分光強度を示すグラフである。
【図１０】第２実施形態の気管支鏡の外観図である。
【図１１】第３実施形態の気管支鏡の外観図である。
【発明を実施するための形態】
【００１７】
図１に示す第１実施形態の気管支鏡１０はファイバースコープから構成され、体腔内に複数種類の光を混合同時照射し、体腔内からの戻り光を肉眼で観察する内視鏡本体１１と、その内視鏡本体１１に着脱自在であり、内視鏡本体１１に光と電力を供給する光源ユニット１２とを備えている。
【００１８】
内視鏡本体１１は、体腔内に挿入される可撓性の挿入部２０と、肉眼で体腔内を観察するための接眼部２１と、挿入部２０と接眼部２１との間に設けられ、各種操作を行う操作部２２と備えている。挿入部２０は、先端側に設けられた湾曲部２３とその湾曲部２３と操作部２２との間に設けられた軟性部２４とからなる。湾曲部２３は互いに連結された複数の湾曲駒で構成され、操作部２２のアングルノブ（図示省略）を操作することにより、上下左右方向に湾曲動作する。湾曲部２３の先端部２３ａは、湾曲部２３の湾曲動作によって体腔内の所望の方向に向けられる。なお、湾曲部は、光源ユニットからの電力によって駆動する。
【００１９】
挿入部２０及び操作部２２には、光源ユニット１２からの光を導光するライトガイド３０（Light Guide（ＬＧ））と、体腔内からの戻り光を導光するイメージガイド３１（Image Guide（ＩＧ））とが設けられている。ライトガイド３０は多数の光ファイバを束ねたファイバーバンドルで構成される。このライトガイド３０は、入射側は１つのファイババンドルとされ、途中で２つのファイババンドル３０ａ，３０ｂに分岐する。分岐した一方のファイババンドル３０ａの出射部は先端部２３ａのカバーガラス３３ａに向けられており、他方のファイババンドル３０ｂは先端部２３ａのカバーガラス３３ｂに向けられている。ライトガイド３０から出射した光は、カバーガラス３３ａ，３３ｂを介して、体腔内に照射される。なお、ライトガイド３０における分岐点では、その手前で光ファイバをスキュー（混ぜる、ねじる）しておくことが好ましい。
【００２０】
イメージガイド３１はファイバーバンドルで構成され、体腔内からの戻り光を先端部２３ａの観察窓３５から受光し、受光した光を接眼部２１にまで導光する。これにより、接眼部２１において、体腔内の観察が可能となる。
【００２１】
図２に示すように、光源ユニット１２は、光源部４０と、バッテリ４１と、モード切替ボタン４２とを備えている。光源部４０は、互いに中心波長が異なるレーザ光を発する半導体レーザ（Laser Diode）４５〜４７と、各レーザ４５〜４７からのレーザ光が入射する蛍光体４８と、各レーザ４５〜４７と蛍光体４８との間に設けられた第１集光レンズ５０と、蛍光体４８とライトガイド３０との間に設けられた第２集光レンズ５１と、これら半導体レーザ４５〜４７等を収納するケース５３とを備えている。なお、光源ユニット１２には、内視鏡本体１１に対して着脱される部分にガラスやシャッターなどの保護機構（図示省略）が設けられている。
【００２２】
半導体レーザ（４０５ｎｍ）４５は中心波長４０５ｎｍの青色レーザ光（４０５ｎｍ）を発する。半導体レーザ（４４５ｎｍ）４６は中心波長４４５ｎｍの青色レーザ光（４４５ｎｍ）を発する。半導体レーザ（６３５ｎｍ）４７は中心波長６３５ｎｍの治療光を発する。蛍光体４８は、半導体レーザ４５〜４７からのレーザのうち青色レーザ光（４４５ｎｍ）の一部を吸収して緑色〜黄色に励起発光する複数種の蛍光体物質（例えばＹＡＧ系蛍光体、あるいはＢＡＭ（ＢａＭｇＡｌ１０Ｏ１７）等の蛍光体）を含んで構成される。したがって、青色レーザ光（４４５ｎｍ）の励起発光によって、青色レーザ光（４４５ｎｍ）と緑色〜赤色成分の光とを含む白色光（図４参照）が蛍光体４８から発せられる。一方、青色レーザ光（４４５ｎｍ）以外の青色レーザ光（４０５ｎｍ）や治療光は、蛍光体４８をそのまま透過する（ただし、青色レーザ光（４０５ｎｍ）は蛍光体を励起する場合もある）。
【００２３】
半導体レーザ４５〜４７の各発光点は例えば１μｍ×１０μｍのように小さいため、これら３つの半導体レーザ４５〜４７からの光を、第１集光レンズ５０を通して、１つの蛍光体４８に集光させることができる。また、蛍光体４８を微小化することで、蛍光体４８からの光もライトガイド３０に効率よく集光できるため、ライトガイド３０の細径化を図ることができる。また、蛍光体４８からの光を第１集光レンズ５０を介してライトガイド３０に入射させる際にも、ほとんどの光がライトガイド３０に入射するため、レンズ集光回りでの発熱を抑制することができる。したがって、内視鏡診断が長時間にわたっても、光源ユニット１２及びその近傍における発熱問題を回避することができる。
【００２４】
これに対して、特許文献１のような発光ダイオード（Light Emitting Diode）の発光点は例えば１ｍｍ×１ｍｍのように大きいので、上記半導体レーザのように、複数の発光ダイオードからの光を、１つの蛍光体に集光させることは困難である。仮に、１つの蛍光体に複数の発光ダイオードからの光を集光させようとすると、蛍光体を大きくせざるを得ない。このように蛍光体が大きくなると、ライトガイド３０への光の入射効率も悪くなるため、発熱の問題が起きやすくなる。
【００２５】
また、半導体レーザ（４４５ｎｍ）４６では、図３に示すように、青色レーザ光（４４５ｎｍ）をパルス状にして周期的に発している。したがって、このようなパルス状の青色レーザ光（４４５ｎｍ）が周期的に蛍光体４８に当てられることで、蛍光体４８からも、パルス状の白色光が周期的に発せられる。これにより、体腔内にはパルス状の白色光が周期的に照射される。そして、このパルス状の白色光の発光周期を短くすることで、パルス発光であることを感じることなく、通常の連続的な照明と同様に知覚させることができる。なお、半導体レーザは発光ダイオードに比べてピーク輝度がはるかに高いため、ライトガイドへの集光を効率よく行うことができ、また明るく知覚させることもできる。
【００２６】
さらに、パルス発光の場合には、通常の連続的な照明と比較して省電力化を図ることができるため、バッテリ４１を長持ちさせることができる。なお、青色レーザ光（４４５ｎｍ）の点滅周期は、ブレ防止のため、できるだけ早くすることが好ましい。また、青色レーザ光（４４５ｎｍ）の他、青色レーザ光（４０５ｎｍ）や治療光（６３５ｎｍ）もパルス状にして周期的に照射してもよい。
【００２７】
半導体レーザ４５〜４７は、モード切替ボタン４２によって設定されたモードに応じて、電源が順次切り替えられる。通常光観察モードに設定されている場合には、半導体レーザ（４４５ｎｍ）４６のみが点灯するため、蛍光体４８からは白色光のみが発せられる。したがって、図４に示すような分光強度を有する白色光が、体腔内に照射される。
【００２８】
特殊光観察モードに設定されている場合には、半導体レーザ（４０５ｎｍ）４５と半導体レーザ（４４５ｎｍ）４６の２つのレーザが点灯するため、青色レーザ光（４４５ｎｍ）により励起発光される白色光に加え、蛍光体４８をそのまま透過する青色レーザー（４０５ｎｍ）が蛍光体から発せられる。したがって、図５に示すような分光強度を有する白色光と青色レーザ光（４０５ｎｍ）が、体腔内に混合同時照射される。
【００２９】
体腔内に狭帯域光の青色レーザ光（４０５ｎｍ）が照射されることで、表層血管等が強調表示される効果が得られる（ＮＢＩ）。また、青色レーザ光（４０５ｎｍ）は体腔内の蛍光を励起させる励起光でもあるため、青色レーザ光（４０５ｎｍ）の照射によって、体腔内から発せられる自家蛍光を観察することができ（ＡＦＩ）、また薬剤投与時には体腔内から発せられる薬剤蛍光を観察することができる（ＰＤＤ）。
【００３０】
なお、ＰＤＤでは、患者に投与する薬剤によって、薬剤蛍光の波長が異なっている。例えば、薬剤として「フォトフィリン」、「レザフィリン」、「ビスダイン」を投与したときには、生体組織からは中心波長６６０ｎｍの薬剤蛍光が発せられる。また、薬剤として「５−ＡＬＡ（アミノアレブミン）」を投与したときには、生体組織からは波長６３５ｎｍ、６７０ｎｍの２つのピークを有する薬剤蛍光が発せられる。なお、本発明においては、ＰＤＤの他に、蛍光薬剤としてＩＣＧ（Indocyanine Green）を用いる近赤外蛍光観察を行えるようにしてもよい。近赤外蛍光観察では、ピーク波長８４５ｎｍを有する近赤外域の蛍光を励起させるために、中心波長が８００ｎｍ前後の励起光を発することができる光源（ＬＤ，ＬＥＤ等）が必要となる。
【００３１】
治療モードに設定されている場合には、半導体レーザ（４０５ｎｍ）４５、半導体レーザ（４４５ｎｍ）４６、半導体レーザ（６３５ｎｍ）４７が点灯するため、白色光の他、蛍光体４８をそのまま透過する青色レーザ（４０５ｎｍ）及び治療光が蛍光体４８から発せられる。したがって、図６に示すような分光強度を有する白色光、青色レーザ光（４０５ｎｍ）、治療光が体腔内に混合同時照射される。なお、治療モードにおいては、青色レーザ光（４０５ｎｍ）を照射しなくてもよい。
【００３２】
体腔内において、光感受性物質が蓄積した腫瘍患部に治療光が当てられると、殺細胞作用を有する活性酸素が発せられる。したがって、腫瘍患部は、一定時間以上治療光を当て続けることによって死滅する（ＰＤＴ）。本実施形態では、ＰＤＴの薬剤として「フォトフィリン」または「５−ＡＬＡ（アミノアレブミン）」を用いるため、中心波長６３５ｎｍの治療光を使用する。なお、ＰＤＴの薬剤として「レザフィリン」を用いる場合には中心波長６６４ｎｍの治療光を使用し、「ビスダイン」を用いる場合には中心波長６８９ｎｍの治療光を使用する。
【００３３】
バッテリ４１は、バッテリ本体６０と、変調部６１とを備えている。バッテリ本体６０は、半導体レーザ４５〜４７や内視鏡本体１１に電力を供給する。変調部６１は、半導体レーザ（４４５ｎｍ）４６に対するバッテリ本体６０の電力供給を制御することによって、図７に示すように、青色レーザ光（４４５ｎｍ）のパルス数、パルス幅、パルス高さ（明るさ）を調整（パルス変調）する（パルス変調に関しては特開２００９−５６２４８号公報参照）。なお、本実施形態では、青色レーザ光（４４５ｎｍ）のパルス変調のみを行うが、青色レーザ光（４０５ｎｍ）や治療光のパルス変調を行ってもよい。
【００３４】
半導体レーザ（４４５ｎｍ）４６は、数ＧＨｚの応答速度を有しているため、パルス数、パルス幅、パルス高さなどのパルス特性を極めて細かく微調整することができる。一方、発光ダイオードは数ＭＨｚの応答速度しか有していないため、半導体レーザのように、パルス特性を微調整することが難しい。
【００３５】
したがって、変調部６１は、青色レーザ光（４４５ｎｍ）を蛍光体４８に当てる際に、蛍光体４８の波長変換効率の温度特性を考慮して青色レーザ光（４４５ｎｍ）のパルス特性を微調整することによって、白色光の色味を一定に保持することができる。蛍光体４８の波長変換効率の温度特性とは、青色レーザ光（４４５ｎｍ）に対する波長変換効率の変化により、青色レーザ光（４４５ｎｍ）と励起発光光の光量比が変化して、色味が変わることをいう。
【００３６】
パルス特性の微調整方法としては、例えば、波長変換効率の温度特性に対応するパルス数、パルス幅、パルス高さ（明るさ）の組み合わせを予め決めておき、温度特性に応じて組み合わせを変更する方法が考えられる。例えば、内視鏡診断開始時点では５０〜１ｋHz以上のパルス幅で点灯させ、その後はさらに５０ｋ〜数十MHｚ（例えば５０ｋ〜２０ＭＨｚが好ましいがこれに限定されない）のパルス幅で点灯させることで、観察者である医者に対して十分に明るく知覚させることができる。なお、上記パルス変調によって、白色光のスペックルを抑制してもよい。このスペックル抑制の際には、パルス変調の他、高周波重畳を行ってもよい。また、蛍光体１５から発せられる白色光の光量や蛍光体１５を透過した青色レーザ光の透過光量に応じて、青色レーザ光のパワーコントロールを行ってもよい（ＡＰＣ（Auto Power Control））。
【００３７】
なお、第１実施形態においては、光源ユニットの光源部に半導体レーザ（４０５ｎｍ）４５、半導体レーザ（４４５ｎｍ）４６、半導体レーザ（６３５ｎｍ）４７の３つのレーザを設けたが、これらに加えて、図８に示すように、中心波長４７３ｎｍの青色レーザ光（４７３ｎｍ）を発する半導体レーザ７０を設けてもよい。通常光観察モードでは、図４に示すように、白色光は、緑色成分と赤色成分は十分な光量を有しているが、青色成分については、青色レーザ光（４４５ｎｍ）の波長域以外の部分は光量が不足する。この青色成分における光量不足を解消するために、通常光観察モードにおいても、半導体レーザ（４０５ｎｍ）４５と半導体レーザ（４７３ｎｍ）７０を点灯させる。これによって、図９に示すように、青色成分の光量不足部分を十分に増加させることができる。
【００３８】
また、第１実施形態においては、安全のため、光源ユニットが内視鏡本体に着脱されているときにのみ、光源ユニット内の半導体レーザを点灯させることが好ましい。また、光源ユニットを外した時には、静電破壊防止のため、半導体レーザのカソードとアノードが繋がるようにすることが好ましい。また、光源ユニット内の第２集光レンズを防水仕様の密封封止窓とすることによって、光源ユニットを洗浄できるようにすることが好ましい。また、光源ユニットは、発熱抑制のため、バッテリ外面側から放熱させることが好ましい。
【００３９】
図１０に示すように、第２実施形態の気管支鏡１００は、白色光を生成する光源部１０１が組み込まれた内視鏡本体１０２と、内視鏡本体１０２に対して着脱自在であり、光源部１０１等に電力を供給するバッテリ１０４とを備えている。内視鏡本体１０２は、光源部１０１については第１実施形態の光源ユニット１２内の光源部４０と同様であり、それ以外については第１実施形態と同様である。また、バッテリ１０４は第１実施形態の光源ユニット１２内のバッテリと同様である。また、モード切替ボタン４２は第１実施形態と異なり内視鏡本体１０２に設けられている。なお、光源部１０１を内視鏡本体１０２の内部に設けることで、半導体レーザの安全を確保することができる。また、バッテリ１０４を着脱自在にすることで、内視鏡本体１１を洗浄しやすくなる。
【００４０】
図１１に示すように、第３実施形態の内視鏡システム１２０は、白色光を生成する光源部１２１と冷却水を循環させて光源部１２１を冷却する冷却部１２２とが組み込まれた気管支鏡１２４と、電源ケーブル１２６を介して光源部１２１等に電力を供給する電源装置１２７、送水チューブ１２８を介して冷却水を供給する給水装置１３０とを備えている。気管支鏡１２４については、その内部に光源部１２１、冷却部１２２、電源ケーブルの差込口１２６ａ、送水チューブの差込口１２８ａが設けられている以外は、第１実施形態の内視鏡本体１１と同様である。光源部１２１は、第１実施形態の光源ユニット１２内の光源部４０と同様である。また、モード切替ボタン４２は、第１実施形態と異なり気管支鏡１２４に設けられている。なお、光源部等に対する電力供給は、非接触給電で行ってもよい。
【００４１】
第３実施形態では、第１及び第２実施形態のような内視鏡自体に装着させるバッテリではなく、外部の電源装置１２７から光源部に電力供給することで、軽量化を図ることができる。さらには、バッテリよりも更に高い電力を供給できる電源装置１２７を用いることで、レーザ光の光量を幾らでも上げることができる。したがって、レーザ光の光量増加に伴って、白色光の光量も幾らでも上げることができる。このように光量が上がるにつれて発熱量も大きくなるが、その発熱は、光源部１２１の回りに設けた冷却部１２２によって、逃がすことができる。
【符号の説明】
【００４２】
１０，１００  気管支鏡
１１  内視鏡本体
１２  光源ユニット
３０  ライトガイド
３１  イメージガイド
４５〜４７  半導体レーザ
４８  蛍光体
４０，１０１，１２１  光源部
４１  バッテリ
６１  変調部
【図１】
0005526000.tif 000002
【図２】
0005526000.tif 000003
【図３】
0005526000.tif 000004
【図４】
0005526000.tif 000005
【図５】
0005526000.tif 000006
【図６】
0005526000.tif 000007
【図７】
0005526000.tif 000008
【図８】
0005526000.tif 000009
【図９】
0005526000.tif 000010
【図１０】
0005526000.tif 000011
【図１１】
0005526000.tif 000012